(57)【要約】      （修正有）【課題】最適なトルクで力を入れることができる円形切断器を提供する。【解決手段】円形切断器Ａは、外環台座１０と、外環台座１０に対して回転するように設けられる回転盤２０と、回転盤２０を貫通する長形貫通槽３０と、長形貫通槽３０に設けられ、スライド移動する切断セット４０を備える。切断セット４０のスライド移動により円の大きさを調整し、回転盤２０の外環部２３で回転盤２０を回して切断を行う。【選択図】図１
0003177489.tif 000002
【実用新案登録請求の範囲】
【請求項１】
該円形切断器Ａは、
円形透かし槽１１と載置面１２を備えてなる外環台座１０、
外環台座１０の円形透かし槽１１にあり、外環台座１０に対して回転されるように設けられ、上面２１、底面２２と外環部２３と中心部２４を備えてなる回転盤２０、
長い形状に延ばされ、回転盤２０の上面２１と底面２２を貫通し、回転盤２０の中心部２４から外環部２３へ延ばされるように設けられる長形貫通槽３０、
長形貫通槽３０に設けられ、長形貫通槽３０に対して、スライド移動する弾性調整可能な切断セット４０が備わり、該弾性調整可能な切断セット４０は、
収容空間５１を備えてなる収容台５０、
収容台５０の収容空間５１に設けられ、刃部４２と台座部４３を備えてなる切断カッター４１、
収容台５０の収容空間５１に設けられ、切断カッター４１の台座部４３に対して、弾性力を有する弾性ユニット４４、
収容台５０の収容空間５１に設けられ、収容台５０に対して、切断カッター４１がスライド移動するための調整ユニット４５が備えられ、
それにより、該円形切断器Ａは、円の切断に用いられるとき、弾性調整可能な切断セット４０のスライド移動により、円の大きさの調整が調整でき、回転盤２０の外環部２３で回転盤２０を回して切断を行うことを特徴とする円形切断器。
【請求項２】
該収容台５０は、台座５２と台座５２の内部に設けられた駆動管５３を備えてなり、該収容空間５１は該駆動管５３の内部に設けられ、該駆動管５３は、動作端５４と調整端５５を備えており、該切断カッター４１は、該駆動管５３の動作端５４に設けられ、該動作端５４は、切断カッター４１の刃部４２が突き出すのに供する通し孔５４１が設けられ、該調整ユニット４５は、駆動管５３の調整端５５に設けられ、弾性ユニット４４は調整ユニット４５と切断カッター４１との間に設けられ、それに、該駆動管５３と台座５２との間は第一径方向位置決め部６０により、該切断カッター４１と駆動管５３は第二径方向位置決め部７０により、対向してスライド移動するように設けられていることを特徴とする請求項１に記載の円形切断器。
【請求項３】
該長形貫通槽３０の両側は目盛３１が設けられ、該弾性調整可能な切断セット４０の対応した長形貫通槽３０の目盛３１には更に、指標４７付き拡大鏡４６が設けられ、それによって、弾性調整可能な切断セット４０がスライド移動しているとき、長形貫通槽３０の目盛３１に対応したところがはっきり映るように設けられていることを特徴とする請求項１に記載の円形切断器。
【請求項４】
該回転盤２０の外環部２３には更に、凹縁２３１が設けられ、それによって、回転盤２０を回してより省エネルギーで行われることを特徴とする請求項１に記載の円形切断器。
【考案の詳細な説明】
【技術分野】
【０００１】
本考案は、円形切断器構造に関わり、特に最適なトルクで力を入れ、弾性付き切断機能を有する円形切断器構造に関する。
【背景技術】
【０００２】
従来は、軟質な平面状物品（例えば、紙やプレスチック板）から円を切断するとき、殆んどコンパスや円形物品を利用して、その表面に円の線を描いてから、カッターナイフや挟みなどで、線に沿って切断するように行われるが、そのようなやり方は、時間がかかり、円の滑らかさが足りないということと云う問題がある。
【０００３】
従来の円形切断器構造は、回転盤と切断カッターを備えてなり、該回転盤は、複数の通し孔があり、該切断カッターが通し孔に差し込み、回転盤を回して円の切断を行うようになっているが、そのような従来の構造は、実際の使用経験から、やはり次のような問題点があった。
【０００４】
１．  従来の円形切断器構造にあっては、力を入れるトルクは、通し孔から回転盤中心までの距離にあり、そこで、切断する円の半径が小さい場合は、トルクが小さすぎで、力をいれにくいという欠点がある。
【０００５】
２．  回転盤の通し孔の深さが足らないことで、使用者が適当な力を入れずに、切断カッターが抜けたりして、危険にさらされる恐れがあり、それに、通し孔を切断カッターに密接に合わせる必要があり、そうしなければ、切断のとき、位置がずれたりして、切断した円形の滑らかさにマイナスな影響がある。
【０００６】
３．  該切断カッターを手動で、物品に挿入することになっており、そこで、厚みのある物品を切断する場合、力の入れ具合をうまく把握できず、切断カッターを深く挿入したら、力を入れにくくなり、余計に力がかかるという問題がある。
【０００７】
それゆえ、上述の従来の円形切断器に存在している問題点について、より理想的で、実用性のあるオリジナルな構造を開発するのが、使用者の望むことで、関連業者がそれを開発するよう努力すべき目標と方向でもある。
【０００８】
それを鑑みて、発明者は関連製品の製造開発と設計に携わる長年の経験を持っており、上述した目標について詳しく設計、慎重に評価したうえ、ようやく実用性のある本考案を得られたものである。
【考案の概要】
【考案が解決しようとする課題】
【０００９】
本考案は、円形切断器の改良構造を提供することを目的とし、解決しようとする課題は、従来の切断器を使用するとき、力を入れにくく、力がかかり、危険があるという問題点を改良することにある。
【課題を解決するための手段】
【００１０】
本考案の課題を解決するための技術的特徴として、円形透かし槽と載置面を備えてなる外環台座、外環台座の円形透かし槽にあり、外環台座に対して、回転可能な形態に設けられ、上面、底面と外環部と中心部を備えてなる回転盤、長い形状に延ばされ、回転盤の上面と底面を貫通し、回転盤の中心部から外環部へと延ばされるように設けられる長形貫通槽、長形貫通槽に設けられ、長形貫通槽に対してスライド移動できる弾性調整可能な切断セットが備わり、該弾性調整可能な切断セットは、収容台、切断カッター、弾性ユニットと調整ユニットを備えてなり、該切断カッターは、収容台の収容空間に設けられ、刃部と台座部を備えてなり、該弾性ユニットは、収容台の収容空間に設けられ、切断カッターの台座部に対して弾性力を有するものであり、該調整ユニットは、収容台の収容空間に設けられ、切断カッターが収容台に対してスライド移動できるように設けられていることを特徴とする該円形切断器であり、本考案は背景技術に比べて、該円形切断器で円の切断を行うとき、弾性調整可能な切断セットのスライド移動により、円の大きさが調整され、それに、回転盤の外環部で回転盤を回すことになっているから、大きな円や小さな円の切断にも最適なトルクで力を入れること、そのうえ、弾性調整可能な切断セットがフレキシブルに物品の厚さに合わせて切断を行うという技術的特徴を有しているので、力の入れ加減がちょうどよく、切断のとき、より省エネルギーで、順調に行われるものである。
【考案の効果】
【００１１】
本考案による効果向上の事実は下記の通り。
１．  本考案に掲示した“円形切断器”は、外環台座、回転盤、長形貫通槽と弾性調整可能な切断セットを備えてなるものであり、本考案は［背景技術］の従来の構造に比べて、円の切断に用いられるとき、弾性調整可能な切断セットのスライド移動により、円の大きさの調整が可能になること、それに、回転盤の外環部で回転盤を回して、大きな円や小さな円の切断にも最適なトルクで力を入れること、そのうえ、弾性調整可能な切断セットがフレキシブルに物品の厚さに合わせて、力の入れ加減がちょうどよく切断を行うという技術的特徴を利用して、切断のとき、より省エネルギーで、順調に行われる。
【００１２】
２．回転盤の長形貫通槽に設けられた弾性調整可能な切断セット、及び、切断カッターが台座の内部へ入るように短く調整されるという特徴を利用して、本考案は［背景技術］の従来の構造に比べて、使用や収納の時にも、切断カッターに傷がつかず、使用上の安全性が大幅に向上する。
【００１３】
上述した実施例に掲示したのは、本考案を具体的に説明するために用いられる内容であり、文の中で専門用語で説明してきたが、それを以って本考案の特許請求範囲を制限してはならず、当該技術分野の分かるものが本考案のコンセプトや考えに基づき、その変化や改造などを行って、それと同等な効果を得たとしても、すべて本考案の特許請求範囲に含まれるものとする。
【図面の簡単な説明】
【００１４】
【図１】本考案の組立立体図。
【図２】本考案の分解立体図。
【図３】本考案の弾性調整可能な切断セットの分解立体図。
【図４】本考案の弾性調整可能な切断セットの対応した長形貫通槽の目盛に設けられている指標付き拡大鏡の実施例図。
【図５】本考案の回転盤の外環部で回転盤を回すという動作の正面図。
【図６】本考案の弾性調整可能な切断セットが長形貫通槽をスライド移動して調整するという動作イメージ。
【図７】本考案の弾性調整可能な切断セットがフレキシブルに物品に合わせて行われる実施例図。
【図８】本考案の調整ユニットが切断カッターを上に向けて移動するように調整するときの実施例図。
【考案を実施するための形態】
【００１５】
図１〜図８に示すのは、本考案の円形切断器の改良構造の好適な実施例であるが、これらの実施例は説明用のみで、特許請求の際、それらの構造に制限されないものとする。
【００１６】
円形透かし槽１１と載置面１２を備えてなる外環台座１０が設けられ、該外環台座１０は載置面１２で、切断する物品に押し付けることにより、物品の滑り動きなどによる切断への阻害を防ぐことができる。
【００１７】
外環台座１０の円形透かし槽１１にあり、外環台座１０に対して回転可能な形態に設けられ、上面２１、底面２２と外環部２３と中心部２４を備えてなる回転盤２０が設けられ、回転盤２０の底面２２は外環台座１０の載置面１２よりも高く設けられ、それにより、外環台座１０の載置面１２が物品に押し付けるように設けられているが、図２に示すように、該回転盤２０は、複数のボール２５と位置決めリングキャップ２６を外環台座１０の円形透かし槽１１に設けており、それにより、回転盤２０が外環台座１０に対して回転されるようになる。そして、該回転盤２０は、透明材質で設けられてもよいが、
長い形状に延ばされ、回転盤２０の上面２１と底面２２を貫通し、回転盤２０の中心部２４から外環部２３へと延ばされるように設けられる長形貫通槽３０が設けられ（図２）、長形貫通槽３０に対して、スライド移動できる弾性調整可能な切断セット４０が設けられる。該弾性調整可能な切断セット４０は、収容台５０、切断カッター４１、弾性ユニット４４と調整ユニット４５を備えてなり、該収容台５０は収容空間５１が設けられ、該切断カッター４１は、収容台５０の収容空間５１に設けられ、刃部４２と台座部４３を備えてなり、該弾性ユニット４４は、収容台５０の収容空間５１に設けられ、切断カッター４１の台座部４３に対して、弾性力を有するものであり、該調整ユニット４５は、収容台５０の収容空間５１に設けられ、切断カッター４１が収容台５０に対してスライド移動できるように設けられていることを特徴とするものである。
【００１８】
該収容台５０は、台座５２と台座５２の内部に設けられた駆動管５３を備えており、該収容空間５１は、該駆動管５３の内部に設けられ、該駆動管５３は、動作端５４と調整端５５を備えており、該切断カッター４１は、該駆動管５３の動作端５４に設けられ、該動作端５４は、切断カッター４１の刃部４２が突き出すのに供する通し孔５４１が設けられ、該調整ユニット４５は、駆動管５３の調整端５５に設けられ、弾性ユニット４４は調整ユニット４５と切断カッター４１との間に設けられ、それに、該駆動管５３と台座５２との間は第一径方向位置決め部６０により、該切断カッター４１と駆動管５３は第二径方向位置決め部７０により、対向してスライド移動するように設けられている。図３に示すように、該第一、二径方向位置決め部６０、７０は、凸柱と凹槽からなる形態でもよく、それによって、駆動管５３と台座５２との間、及び切断カッター４１と駆動管５３との間は、対向して軸方向にスライド移動するように設けられる。
【００１９】
図４に示すように、該長形貫通槽３０の両側には目盛３１が設けられ、該弾性調整可能な切断セット４０の対応した長形貫通槽３０の目盛３１には更に、指標４７付き拡大鏡４６が設けられ、それにより、弾性調整可能な切断セット４０がスライド移動しているとき、長形貫通槽３０の目盛３１がはっきり映るように設けられているが、図３、図７に示すように、該拡大鏡４６は、位置決め管４８のネジ締めにより、収容台５０の台座５２の両側に固定され、該指標４７は、伸びた線に設けられてもよく（図４）、それにより、拡大鏡４６が長形貫通槽３０の目盛３１に対応したところがより正確に映るようになるが、また、図８に示すように、該拡大鏡４６の下方には更に、二本のリブ線４６１が設けられ、該リブ線４６１が長形貫通槽３０へ嵌め込まれ、弾性調整可能な切断セット４０がより安定してスライド移動できるように設けられている。
【００２０】
図１、図５に示すように、該回転盤２０の外環部２３には更に、凹縁２３１が設けられ、それによって、回転盤２０を回して省エネルギーに行われるが、図６に示すように、該回転盤２０に更に、複数のカーブ状の位置線２０１が設けられ、それにより、使用者が切断する物品がどれぐらいの半径の円になるかはっきり識別し、それに応じて、弾性調整可能な切断セット４０の目盛３１を調整することができる。
【００２１】
上述の構造、組合せ設計により、本考案の使用、動作状況について次のように説明する。
【００２２】
図５〜図７に示すように、本考案の円形切断器で切断するとき、あらかじめ、弾性調整可能な切断セット４０を、長形貫通槽３０の中でスライド移動して、切断する円の大きさに調整し（図６）、それから、外環台座１０を平面状物品０１  に押し付け（図５に示すのは、外環台座１０が平面状物品０１に押し付けた場合の正面図、図７の左図の矢印Ｌ１は、該回転盤２０も平面状物品０１に押し付けた場合を示すもの）、そこで、切断カッター４１は、押し付けた力により、上に向ける弾性力が生じる（図７の右図の矢印Ｌ２で示す）が、それにより、フレキシブルに平面状物品０１の厚みに合わせて切断を行うことになり、従来の構造のように深く挿入しすぎで、力を入れにくいという問題はない。また、図５に示すように、回転盤２０の外環部２３にある凹縁２３１で回転盤２０を回して切断を行うことになっており、本考案は、大きな円や小さな円の切断にも、最適なトルクで力を入れる（該トルクは、図５のＨ１で示す）が、厚い物品を切断するとき、弾性調整可能な切断セット４０の弾力性により、回転盤２０を回し続けて、切断カッター４１が次第に下へ向けて切断を行うようになっている（注：該実施例の原理は図７に示すのと同様で、該図を省略）。
【００２３】
図８に示すように、該弾性調整可能な切断セット４０の調整ユニット４５を回し、収容台５０の駆動管５３を上下にスライド移動させると同時に、そして該駆動管５３の動作端５４の切断カッター４１を上下にスライド移動させるようにして、切断カッター４１の刃部４２が台座５２に突き出した長さを調整し、切断する物品の厚みに合わせて調整できる。
【符号の説明】
【００２４】
円形切断器        Ａ  
平面状物品        ０１          
外環台座            １０          
円形透かし槽        １１      
載置面            １２
回転盤            ２０
位置線            ２０１          
上面              ２１
底面              ２２            
外環部            ２３
凹縁              ２３１      
中心部            ２４
ボール              ２５
位置決めリングキャップ          ２６
長形貫通槽        ３０            
目盛              ３１
弾性調整可能な切断セット  ４０            
切断カッター            ４１
刃部            ４２              
台座部              ４３
弾性ユニット          ４４              
調整ユニット            ４５
拡大鏡            ４６  
リブ線              ４６１            
指標              ４７
位置決め管            ４８
収容台            ５０            
収容空間          ５１
台座              ５２            
駆動管            ５３
動作端            ５４
通し孔              ５４１
調整端            ５５
第一径方向位置決め部    ６０              
第二径方向位置決め部    ７０
【図１】
0003177489.tif 000003
【図２】
0003177489.tif 000004
【図３】
0003177489.tif 000005
【図４】
0003177489.tif 000006
【図５】
0003177489.tif 000007
【図６】
0003177489.tif 000008
【図７】
0003177489.tif 000009
【図８】
0003177489.tif 000010